(57)【要約】【課題】  出射光の全体について色の均一性を高めることができる光源装置、電気光学装置および電子機器を提供する。【解決手段】  光を拡散させる度合いである拡散度が異なる少なくとも２つの拡散領域３ａ，３ｂ，３ｃを有してなる拡散度調整手段３を有し、拡散度調整手段３の少なくとも２つの拡散領域３ａ，３ｂ，３ｃは、該拡散領域毎に異なる色の光が照射される構成となっていることを特徴とする。【選択図】    図１
2006066121.tif 000002
【特許請求の範囲】
【請求項１】
光を拡散させる度合いである拡散度が異なる少なくとも２つの拡散領域を有してなる拡散度調整手段を有し、
前記拡散度調整手段の少なくとも２つの拡散領域は、該拡散領域毎に異なる色の光が照射される構成となっていることを特徴とする光源装置。
【請求項２】
複数の光源からの光を導光板の側面から入射させ、該導光板の一方の主平面から出射させる光源装置であって、
光を拡散させる度合いである拡散度が異なる少なくとも２つの拡散領域を有する拡散度調整手段を有し、
前記複数の光源は、少なくとも２つの異なる色の光を出射するものであり、
前記拡散度調整手段は、前記少なくとも２つの拡散領域毎に、前記異なる色の光のうちの一つが照射されるように、配置され構成されており、
前記拡散度調整手段で拡散された光が前記導光板から出射される構成となっていることを特徴とする光源装置。
【請求項３】
前記拡散度調整手段の少なくとも２つの拡散領域は、第１拡散領域と第２拡散領域とを有し、
前期第１拡散領域に照射される光源の波長強度特性は、第２拡散領域に対し短波長側にピークをもった光源が照射される構成となっており、
前記第１拡散領域の拡散度は、第２拡散領域の拡散度よりも小さいことを特徴とする請求項１又は２に記載の光源装置。
【請求項４】
前記拡散度調整手段の少なくとも２つの拡散領域それぞれの拡散度は、該拡散領域に照射される光のピーク波長にほぼ比例した値の拡散度となっていることを特徴とする請求項１又は２に記載の光源装置。
【請求項５】
前記拡散度調整手段は、前記少なくとも２つの拡散領域のそれぞれで拡散された各色の光の散乱状態がほぼ同一となるように、該拡散領域の拡散度が設定されていることを特徴とする請求項１又は２に記載の光源装置。
【請求項６】
前記拡散度調整手段は、導光板における光源側の側面に形成された複数の凹凸形状からなり、
前記少なくとも２つの拡散領域のそれぞれは、前記複数の凹凸形状が該拡散領域の拡散度に対応した密度又は形状となって構成されていることを特徴とする請求項１から５のいずれか一項に記載の光源装置。
【請求項７】
前記導光板は、金型を用いて製造されたものであり、
前記金型には、前記拡散度調整手段の凹凸形状に対応した形状が形成されていることを特徴とする請求項６に記載の光源装置。
【請求項８】
前記拡散度調整手段は、ブラスト加工を用いて形成されたものであることを特徴とする請求項６又は７に記載の光源装置。
【請求項９】
前記拡散度調整手段は、導光板における光源側の側面に形成された複数のプリズムからなり、
前記少なくとも２つの拡散領域のそれぞれは、前記複数のプリズムが該拡散領域の拡散度に対応した密度又は形状となって構成されていることを特徴とする請求項１から５のいずれか一項に記載の光源装置。
【請求項１０】
前記拡散度調整手段は、シート部材からなり、
前記シート部材の少なくとも一方面には、複数の凸凹形状又は複数のプリズムが形成されており、
前記少なくとも２つの拡散領域のそれぞれは、前記複数の凸凹形状又は複数のプリズムが、該拡散領域の拡散度に対応した密度又は形状となって構成されていることを特徴とする請求項１から５のいずれか一項に記載の光源装置。
【請求項１１】
前記シート部材は、１枚のシートに、前記少なくとも２つの拡散領域が形成されているものからなることを特徴とする請求項１０に記載の光源装置。
【請求項１２】
其々が異なるピーク波長の光を出射する複数の発光部を一組とする単位光源を、複数有し、
前記其々が異なるピーク波長の光が、該ピーク波長に対応した拡散度の前記拡散領域に照射される構成となっていることを特徴とする請求項１から１１のいずれか一項に記載の光源装置。
【請求項１３】
前記拡散度調整手段で拡散された光が、導光板内に入射した後に、該導光板から出射する構成を有しており、
前記導光板から出射した光は、ほぼ白色となっていることを特徴とする請求項１から１２のいずれか一項に記載の光源装置。
【請求項１４】
請求項１から１３のいずれか一項に記載の光源装置を有してなることを特徴とする電気光学装置。
【請求項１５】
請求項１４に記載の電気光学装置を有してなることを特徴とする電子機器。
【発明の詳細な説明】
【技術分野】
【０００１】
本発明は、光源装置、電気光学装置および電子機器に関するものである。
【背景技術】
【０００２】
近年、液晶パネルなどの液晶表示装置が種々の電子機器の画像表示部に搭載されて利用されている。なかでも携帯電話などのモバイル機器の表示部には、薄型軽量で消費電力が小さいという利点から液晶表示装置が好適に用いられている。液晶表示装置は、一対の基板により液晶層が挟持された液晶パネルと、液晶パネルの非観察面側に配置された光源装置（バックライト）とを主として構成されている。そして、一対の基板の液晶層側に形成された透明電極により液晶層に電界を印加して、液晶分子の配向状態を制御することにより、光源装置からの入射光を変調して画像表示を行う構成となっている。
【０００３】
上述した光源装置は、光透過性材料からなる矩形の導光板と、その導光板の側面（端面）に配置された発光ダイオード（ＬＥＤ）などの光源とを主として構成されている。その導光板には、溝または突形状のパターンが形成されている。そして、光源から出射され、導光板の側面から入射した光源光が、その溝または突形状によって反射され、導光板の主平面から液晶パネルに向かって出射するようになっている（例えば、特許文献１参照）。また、従来においては、導光板の側面に近接して異なる発光色の点光源を配置した光源装置がある。これは、導光板内で異なる発光色同士を混ぜ、その導光板の出光面からの光照射を均一な輝度の白色光にしようとするものである（例えば、特許文献２参照）。
【特許文献１】特開２００１−１３３７７６号公報
【特許文献２】特開平１１−３５３９２０号公報
【発明の開示】
【発明が解決しようとする課題】
【０００４】
しかしながら、上記従来の光源装置では、導光板全体からの出射光の色分布が均一にならないという問題点がある。例えば、導光板には、３種類のＬＥＤ光源から青色光、緑色光及び赤色光が入射するものとする。そして、従来の導光板は、底面面体に複数の凹凸を一定の密度で分散配置したものとする。すると、導光板に入射した青色光は、他の緑色光及び赤色光に比べて波長が短いので散乱が大きい。一方、導光板に入射した赤色光は、他の青色光及び緑色光に比べて波長が長いので散乱が小さい。これらにより、従来の光源装置では、導光板内において、各色の光の輝度分布が大幅に異なることとなり、色分布が均一な白色光を出射することができない。そこで、このような光源装置をバックライトとして用いた液晶表示装置は、高品位なカラー画像を表示することができない。
【０００５】
本発明は、上記事情に鑑みてなされたものであり、出射光の全体について色の均一性を高めることができる光源装置、電気光学装置および電子機器を提供することを目的とする。
また、本発明は、簡素な構成により、出射光の全体について色の均一性を高めることができる光源装置、電気光学装置および電子機器を提供することを目的とする。
【課題を解決するための手段】
【０００６】
上記目的を達成するために、本発明の光源装置は、光を拡散させる度合いである拡散度が異なる少なくとも２つの拡散領域を有してなる拡散度調整手段を有し、前記拡散度調整手段の少なくとも２つの拡散領域は、該拡散領域毎に異なる色の光が照射される構成となっていることを特徴とする。
ここで、各拡散領域は、相互になるべく近接して配置されていることが好ましい。
本発明によれば、例えば、比較的波長の短い青色光が照射される拡散領域では拡散度を小さくし、比較的波長の長い赤色光が照射される拡散領域では拡散度を大きくし、波長が中位の緑色光が照射される拡散領域では拡散度を中位にすることができる。ここで、拡散度が一定の拡散板に各色の光を照射した場合、青色光は拡散し易く、赤色光は拡散し難く、緑色光は中位である。そこで、本発明によれば、拡散度調整手段で拡散された各色の光の散乱状態（例えば輝度分布）を相互にほぼ一致させることができる。そして、拡散度調整手段の各拡散領域が近接して配置されていると、拡散度調整手段で拡散された各色の光が合成されて、均一な色分布の合成光（例えば出射面の全体について均一な色の白色光）を出射することができる。
本発明でいう拡散度について、さらに具体的に定義すると、例えば次のようになる。拡散度調整手段（拡散領域）に基準の波長の光（例えば緑色光）を入射させたときに、入射方向と同一方向に該拡散度調整手段から出射した光を非散乱光として、入射方向と異なる方向に該拡散度調整手段から出射した光を散乱光とする。そして、散乱光の強度をＩ１、非散乱光の強度をＩ２とする。この場合の拡散度は、
拡散度（％）＝｛Ｉ１／（Ｉ１＋Ｉ２）｝×１００
と表される
【０００７】
上記目的を達成するために、本発明の光源装置は、複数の光源からの光を導光板の側面から入射させ、該導光板の一方の主平面から出射させる光源装置であって、光を拡散させる度合いである拡散度が異なる少なくとも２つの拡散領域を有する拡散度調整手段を有し、前記複数の光源は、少なくとも２つの異なる色の光を出射するものであり、前記拡散度調整手段は、前記少なくとも２つの拡散領域毎に、前記異なる色の光のうちの一つが照射されるように、配置され構成されており、前記拡散度調整手段で拡散された光が前記導光板から出射される構成となっていることを特徴とする。
本発明によれば、例えば、比較的波長の短い光が照射される拡散領域では拡散度を小さくし、比較的波長の長い光が照射される拡散領域では拡散度を大きくすることができる。そこで、本発明によれば、拡散度調整手段で拡散された各色の光の散乱状態を相互にほぼ一致させることができる。ここで、拡散度調整手段で拡散された各色の光は導光板から出射されるので、本発明は導光板全体における出射光の色分布を均一にすることができる。
【０００８】
また、本発明の光源装置は、前記拡散度調整手段の少なくとも２つの拡散領域が、第１拡散領域と第２拡散領域とを有し、前期第１拡散領域に照射される光源の波長強度特性は、第２拡散領域に対し短波長側にピークをもった光源が照射される構成となっており、前記第１拡散領域の拡散度は、第２拡散領域の拡散度よりも小さいことが好ましい。
本発明によれば、例えば拡散度調整手段の第１拡散領域には比較的波長の短い青色光が照射され、第２拡散領域には比較的波長の長い赤色光が照射される構成とすることができる。ここで、第１拡散領域の拡散度が第２拡散領域の拡散度よりも小さいので、拡散度調整手段で拡散された後の青色光の散乱状態と赤色光の散乱状態とを一致させることができる。そこで、本発明は、出射光全体についての色分布を均一にすることができる。
【０００９】
また、本発明の光源装置は、前記拡散度調整手段の少なくとも２つの拡散領域それぞれの拡散度が、該拡散領域に照射されるにほぼ比例した値の拡散度となっていることが好ましい。
本発明によれば、拡散度調整手段で拡散された後の各色の光の散乱状態を相互にほぼ一致させることができる。そこで、本発明は、拡散度調整手段で拡散された後の各色の光の合成光である光源装置の出射光全体について、色分布を均一にすることができる。
【００１０】
また、本発明の光源装置は、前記拡散度調整手段が、前記少なくとも２つの拡散領域のそれぞれで拡散された各色の光の散乱状態がほぼ同一となるように、該拡散領域の拡散度が設定されていることが好ましい。
本発明によれば、拡散度調整手段で拡散された後の各色光の輝度分布について均一化を図ることができるので、各色光の合成光の色分布を均一にすることができる。
【００１１】
また、本発明の光源装置は、前記拡散度調整手段が、導光板における光源側の側面に形成された複数の凹凸形状からなり、前記少なくとも２つの拡散領域のそれぞれは、前記複数の凹凸形状が該拡散領域の拡散度に対応した密度又は形状となって構成されていることが好ましい。
本発明によれば、導光板の側面から該導光板内に入射する光について、その光の色（波長）に対応した拡散度で（導光板内で）拡散させることができる。そこで、本発明は、導光板内での各色の光の散乱状態を均一化することができ、導光板全体における出射光の色分布の均一化を図ることができる。ここで、拡散度の大小は、光源側の側面に形成された複数の凸凹形状の密度又は形状そのもの等により調整することができる。例えば、拡散度を大きくするときは凸凹形状の密度を高くして、拡散度を小さくするときは凸凹形状の密度を低くする。
【００１２】
また、本発明の光源装置は、前記導光板が金型を用いて製造されたものであり、前記金型には、前記拡散度調整手段の凹凸形状に対応した形状が形成されていることが好ましい。
本発明によれば、導光板の構成材料を溶解して金型に入れることなどで、前記拡散度調整手段を備えた導光板を簡便に構成することができる。ここで、上記型を用いた工程は拡散度調整手段を設けない場合でも用いられる工程である。そこで、本発明は、従来の導光板製造工程及び光源装置製造工程に対して工程を増やすことなく製作できて、出射光の色分布の均一化を図れる光源装置を提供することができる。
【００１３】
また、本発明の光源装置は、前記拡散度調整手段が、ブラスト加工を用いて形成されたものであることが好ましい。
本発明によれば、例えば研磨材を導光板の側面に吹き付けるブラスト加工をすることにより、簡便に、拡散度調整手段付きの導光板を構成することができる。ここで、拡散度の調整は例えば研削材の粒度を変えたり、噴出圧力を調整することで、導光板側面の表面粗さを変えることにより、簡便に対応することができる。また、型を用いて導光板を製造する場合、その型についてブラスト加工して凹凸を設け、その凹凸を導光板に転写することで拡散度調整手段を構成してもよい。
【００１４】
また、本発明の光源装置は、前記拡散度調整手段が導光板における光源側の側面に形成された複数のプリズムからなり、前記少なくとも２つの拡散領域のそれぞれは、前記複数のプリズムが該拡散領域の拡散度に対応した密度又は形状となって構成されていることが好ましい。
本発明によれば、例えば、断面が三角波形状の複数のプリズムを導光板の側面に形成することで、該側面に前記拡散度調整手段を構成することができる。ここで、拡散度の大小は、前記三角波形状の頂角の角度又は各辺の長さ等で調整することができる。
【００１５】
また、本発明の光源装置は、前記拡散度調整手段がシート部材からなり、前記シート部材の少なくとも一方面には、複数の凸凹形状又は複数のプリズムが形成されており、前記少なくとも２つの拡散領域のそれぞれは、前記複数の凸凹形状又は複数のプリズムが、該拡散領域の拡散度に対応した密度又は形状となって構成されていることが好ましい。
本発明によれば、既存の導光板に前記シート部材を貼り付けることにより、簡便に、出射光の色分布の均一化を図れる光源装置を提供することができる。
【００１６】
また、本発明の光源装置は、前記シート部材が、１枚のシートに、前記少なくとも２つの拡散領域が形成されているものからなることが好ましい。
本発明によれば、既存の導光板に１枚のシート（シート部材）を貼り付けることにより簡便に、出射光の色分布の均一化を図れる光源装置を提供することができる。
【００１７】
また、本発明の光源装置は、其々が異なるピーク波長の光を出射する複数の発光部を一組とする単位光源を、複数有し、前記其々が異なるピーク波長の光が、該ピーク波長に対応した拡散度の前記拡散領域に照射される構成となっていることが好ましい。
本発明によれば、例えば単位光源の発光部が第１，第２，第３発光部からなり、第１発光部の光は短波長にピークをもち、第２発光部の光は短波長と長波長の中間にピークをもち、第３発光部の光は長波長にピークをもつものとすることができる。そして、本発明によれば、第１発光部の光（例えば青）が照射される拡散領域では拡散度を小さくし、第３発光部の光（例えば赤）が照射される拡散領域では拡散度を大きくし、第２発光部の光（例えば緑）が照射される拡散領域では拡散度を中位にすることができる。そこで、本発明によれば、拡散度調整手段で拡散された各光源の光の散乱状態（例えば輝度分布）を相互にほぼ一致させることができる。そして、拡散度調整手段の各拡散領域が近接して配置されていると、拡散度調整手段で拡散された各光源の光が合成されて、均一な色分布の合成光（例えば出射面の全体について均一な状態の白色光）を出射することができる。
【００１８】
また、本発明の光源装置は、前記拡散度調整手段で拡散された光が、導光板内に入射した後に、該導光板から出射する構成を有しており、前記導光板から出射した光は、ほぼ白色となっていることが好ましい。
本発明によれば、例えば、広色域の液晶表示装置のバックライトとして好適な光源装置を提供することができる。
【００１９】
上記目的を達成するために、本発明の電気光学装置は、前記光源装置を有していることを特徴とする。
本発明によれば、例えば液晶表示装置などの電気光学装置のバックライトとして前記光源装置を用いることにより、色ムラがなく高品位にカラー画像を表示できる電気光学装置を提供することができる。
【００２０】
上記目的を達成するために、本発明の電子機器は、前記電気光学装置を有してなることを特徴とする。
本発明によれば、高品位にカラー画像を表示できる電気光学装置を備えた電子機器を、低コストで提供することができる。
【発明を実施するための最良の形態】
【００２１】
以下、本発明の実施形態に係る光源装置及び電気光学装置について、図面を参照して説明する。
【００２２】
（第１実施形態）
図１は、本発明の第１実施形態に係る光源装置の一例を示す斜視図である。図２は、図１に示す光源装置の平面図である。図３は、図１に示す光源装置の部分拡大断面図である。本実施形態の光源装置１０Ａは、例えば液晶表示装置のバックライトとして用いられるものである。光源装置１０Ａは、複数の光源１Ａ（単位光源）と、導光板２とを有して構成されている。そして、導光板２の側面には、拡散領域３ａ，３ｂ，３ｃからなる拡散度調整手段３が形成されている。
【００２３】
光源１Ａは、例えばＬＥＤで構成されているものとする。そして、光源１Ａは、光スペクトルのピーク波長が４７０ｎｍ程度の青色光を発光する青ＬＥＤ（Ｂ、第１発光部）と、ピーク波長が５２０ｎｍ程度の緑色光を発光する緑ＬＥＤ（Ｇ、第２発光部）と、ピーク波長が６２０ｎｍ程度の赤色光を発光する赤ＬＥＤ（Ｒ、第３発光部）とを、１つのパッケージに内蔵している。そして、青ＬＥＤ（Ｂ）はパッケージ内の下側の一方端付近に配置され、緑ＬＥＤ（Ｇ）はパッケージ内の下側の他方端付近に配置され、赤ＬＥＤ（Ｒ）はパッケージ内の上側の中央付近に配置されている。ここで、青ＬＥＤ（Ｂ）、緑ＬＥＤ（Ｇ）及び赤ＬＥＤ（Ｒ）は、相互に近接して配置されていることが好ましい。
【００２４】
ここで、光源１Ａは、ＬＥＤ以外のもので構成してもよく、例えば有機エレクトロルミネッセンス素子、端面発光半導体レーザ又は面発光半導体レーザなどの半導体レーザなどで光源１Ａを構成してもよい。また、冷陰極管で光源１Ａを構成してもよい。また、各光源１Ａは、基板上に取り付けられ実装されていることとしてもよい。その基板としては、ＦＰＣ（フレキシブル・プリンテッド・サーキット）を用いることが好ましい。ＦＰＣは、柔軟性のある回路基板であり、光源１Ａの他に、光源１Ａの駆動回路なども実装されていることが好ましい。このように光源１Ａを実装する基板としてＦＰＣを用いると、例えば基板における光源１Ａの配置領域と駆動回路の配置領域との間に屈曲部位を設けることにより、部材配置の自由度を高めることができ、光源装置１０Ａについてコンパクト化及びデザインの多様化を図ることができる。また、各光源１Ａを基板上に取り付けることにより、各光源１Ａを簡便に高精度に配置できる。
【００２５】
光源１Ａは、導光板２の側面（端面）に対向するように配置されている。すなわち、光源１Ａの光出射面と導光板２の側面とが対向するように、光源１Ａ及び導光板２が配置されている。したがって、光源１Ａから出射された光は、導光板２の側面から該導光板２内に入射することとなる。ここで、光源１Ａと導光板２の側面とは隙間を持って配置されている。これは、設計上又は製造上の制限などによるものである。また、複数の光源１Ａが導光板２の一つの側面側に、ほぼ等間隔で配置されている。
【００２６】
導光板２は、アクリル樹脂などの光透過性材料からなる板材であり、例えば厚さ０．６ｍｍ程度に形成されている。そして、導光板２の底面（図面下側の面）には、凸形状又は溝形状のプリズムが複数形成されている。このプリズムにより、光源１Ａから出射されて導光板２の側面から該導光板２内に入射してきた光は導光板２の上面方向（図面上方）に反射されることとなる。導光板２の上には、液晶パネルが配置されるので導光板２から出射された光は液晶パネルを照射することとなる。また、図２に示すように、導光板２における外縁以外の領域が有効発光エリア２ａとなっている。
【００２７】
導光板２の側面に形成されている拡散領域３ａ，３ｂ，３ｃからなる拡散度調整手段３は、入射光の色（波長）に対応した拡散度でその入射光を拡散させるものである。ここで拡散度とは、光を拡散させる度合いである。
【００２８】
図４は、拡散度の定義を説明するための図である。図４に示すように、拡散度調整手段３の入射光をＬ０として、拡散度調整手段３を透過した光を、導光板２の側面の法線方向に進む光（以下、これを全非散乱光と呼ぶ）Ｌ２と拡散度調整手段３により散乱されて前記法線方向とは異なる方向に進む光（以下、これを全散乱光と呼ぶ）Ｌ１とに分ける。そして、全散乱光Ｌ１の強度をＩ１とするとともに全非散乱光Ｌ２の強度をＩ２とする。すると、拡散度は、以下の式（１）で定義することとする。
拡散度（％）＝｛Ｉ１／（Ｉ１＋Ｉ２）｝×１００          （１）
【００２９】
拡散度調整手段３の拡散領域３ａ，３ｂ，３ｃは、それぞれ拡散度が異なるものとなっている。ここで、拡散領域３ａの拡散度は比較的大きく、拡散領域３ｃの拡散度は比較的小さく、拡散領域３ｂの拡散度は中位となっている。さらに、拡散領域３ａは、光源１Ａの赤ＬＥＤ（Ｒ）に対向した位置に配置されている。拡散領域３ｂは、光源１Ａの緑ＬＥＤ（Ｇ）に対向した位置に配置されている。拡散領域３ｃは、光源１Ａの青ＬＥＤ（Ｂ）に対向した位置に配置されている。
【００３０】
そこで、図２及び図３に示すように、拡散領域３ａには赤ＬＥＤ（Ｒ）から出射された光ＬＲが照射され、その光ＬＲは拡散領域３ａで拡散されて光ＬＲ’となって導光板２内を伝播する。また、拡散領域３ｂには緑ＬＥＤ（Ｇ）から出射された光ＬＧが照射され、その光ＬＧは拡散領域３ｂで拡散されて光ＬＧ’となって導光板２内を伝播する。また、拡散領域３ｃには青ＬＥＤ（Ｂ）から出射された光ＬＢが照射され、その光ＬＢは拡散領域３ｃで拡散されて光ＬＢ’となって導光板２内を伝播する。
【００３１】
ここで、赤色の光ＬＲ、緑色の光ＬＧ及び青色の光ＬＢを例えば同一の拡散領域（例えば３ｂ）で拡散させた場合、赤色の光ＬＲは比較的に拡散度が小さくなり、青色の光ＬＢは比較的に拡散度が大きくなり、緑色の光ｌＧの拡散度は中位となる。ところが、本実施形態では、拡散領域３ａの拡散度は比較的大きく、拡散領域３ｃの拡散度は比較的小さく、拡散領域３ｂの拡散度は中位となるように形成されている。したがって、拡散し難い光ＬＲは拡散度の大きい拡散領域３ａで拡散され、拡散し易い光ＬＢは拡散度の小さい拡散領域３ｃで拡散され、拡散度合いが中程度の光ＬＧは拡散度が中程度の拡散領域３ｂで拡散される。
【００３２】
これらにより、本実施形態の光源装置１０Ａによれば、拡散領域３ａで拡散された光ＬＲ’の導光板２内の散乱状態（輝度分布）と、拡散領域３ｂで拡散された光ＬＧ’の導光板２内の散乱状態と、拡散領域３ｃで拡散された光ＬＢ’の導光板２内の散乱状態とがほぼ一致することとなる。そして、導光板２内に形成されたプリズムにより、光ＬＲ’，光ＬＧ’及び光ＬＢ’は導光板２の上面からその上面の法線方向に均一に出射され、その出射面の全体について均一な色の合成光ＬＥとなる。したがって、本実施形態の光源装置１０Ａは、有効発光エリア２ａの全体から、色ムラのない、均一な色（スペクトル）の白色光を出射することができる。
【００３３】
また、本実施形態においては、拡散度調整手段３の各拡散領域３ａ，３ｂ，３ｃそれぞれの拡散度が、その拡散領域に照射される光のピーク波長にほぼ比例した値の拡散度となっていることとしてもよい。このようにすると、各拡散領域３ａ，３ｂ，３ｃそれぞれに照射される各光が赤、緑、青でなくても、拡散度調整手段３で拡散された後の各色の光の散乱状態を相互にほぼ一致させることができ、有効発光エリア２ａの全体で均一な色の光を出射することができる。
【００３４】
（第２実施形態）
図５は、本発明の第２実施形態に係る光源装置の一例を示す斜視図である。図５において、図１に示す第１実施形態の光源装置１０Ａの構成要素と同一の機能を有するものには同一符号を付している。本実施形態の光源装置１０Ｂは、光源１Ｂと、導光板２とを有して構成されている。そして、導光板２の側面には、拡散領域３ａ’，３ｂ’，３ｃ’からなる拡散度調整手段３’が形成されている。
【００３５】
本実施形態の光源装置１０Ｂにおける第１実施形態の光源装置１０Ａとの相違点は、光源１Ｂ及び拡散度調整手段３’である。光源１Ｂは、１つのパッケージに青ＬＥＤ（Ｂ）、緑ＬＥＤ（Ｇ）及び赤ＬＥＤ（Ｒ）を内蔵している。そして、青ＬＥＤ（Ｂ）、緑ＬＥＤ（Ｇ）及び赤ＬＥＤ（Ｒ）パッケージ内における直線上に配置されているとともに、青ＬＥＤ（Ｂ）はパッケージ内の右端付近に、緑ＬＥＤ（Ｇ）はパッケージ内の中央付近に、赤ＬＥＤ（Ｒ）はパッケージ内の左端付近に配置されている。また、光源１Ｂは、青ＬＥＤ（Ｂ）、緑ＬＥＤ（Ｇ）及び赤ＬＥＤ（Ｒ）の配置がなす直線と導光板２の側面の長手方向とが平行となるように、配置されている。なお、光源１Ｂは、青ＬＥＤ（Ｂ）、緑ＬＥＤ（Ｇ）及び赤ＬＥＤ（Ｒ）が配置されている直線と導光板２の側面の短手方向とが平行となるように、配置されていることとしてもよい。
【００３６】
拡散度調整手段３’の拡散領域３ａ’，３ｂ’，３ｃ’は、第１実施形態の拡散度調整手段３の拡散領域３ａ，３ｂ，３ｃにそれぞれ対応するものである。そこで、拡散領域３ａ’の拡散度は比較的大きく、拡散領域３ｃ’の拡散度は比較的小さく、拡散領域３ｂ’の拡散度は中位となっている。さらに、拡散領域３ａ’は、光源１Ｂの赤ＬＥＤ（Ｒ）に対向した位置に配置されている。拡散領域３ｂ’は、光源１Ｂの緑ＬＥＤ（Ｇ）に対向した位置に配置されている。拡散領域３ｃ’は、光源１Ｂの青ＬＥＤ（Ｂ）に対向した位置に配置されている。
【００３７】
これらにより、本実施形態の光源装置１０Ｂによれば、拡散し難い赤ＬＥＤ（Ｒ）の光は拡散度の大きい拡散領域３ａ’で拡散され、拡散し易い青ＬＥＤ（Ｂ）の光は拡散度の小さい拡散領域３ｃ’で拡散され、拡散度合いが中程度の緑ＬＥＤ（Ｇ）の光は拡散度が中程度の拡散領域３ｂ’で拡散される。したがって、本実施形態の光源装置１０Ｂは、第１実施形態の光源装置１０Ａと同様に、有効発光エリア２ａの全体から、色ムラのない、均一な色の白色光を出射することができる。
【００３８】
（第３実施形態）
図６は、本発明の第３実施形態に係る光源装置の一例を示す斜視図である。図６において、図１に示す第１実施形態の光源装置１０Ａの構成要素と同一の機能を有するものには同一符号を付している。本実施形態の光源装置１０Ｃは、光源１ｒ，１ｇ，１ｂと、導光板２とを有して構成されている。そして、導光板２の側面には、拡散領域３ａ”，３ｂ”，３ｃ”からなる拡散度調整手段３”が形成されている。
【００３９】
本実施形態の光源装置１０Ｃにおける第１実施形態の光源装置１０Ａとの相違点は、光源１ｒ，１ｇ，１ｂ及び拡散度調整手段３”である。光源１ｒ，１ｇ，１ｂは、それぞれ単体のＬＥＤで構成されている。そして、光源１ｒは赤ＬＥＤ（Ｒ）からなり、光源１ｇは緑ＬＥＤ（Ｇ）からなり、光源１ｂは青ＬＥＤ（Ｂ）からなる。また、光源１ｒ，１ｇ，１ｂは、それぞれ、ほぼ等間隔をもって直線上に配置されている。そして、光源１ｒ，１ｇ，１ｂは、その光源１ｒ，１ｇ，１ｂの配置がなす直線と導光板２の側面の長手方向とが平行となるように、配置されている。なお、光源１ｒ，１ｇ，１ｂは、その光源１ｒ，１ｇ，１ｂの配置がなす直線と導光板２の側面の短手方向とが平行となるように、配置されていることとしてもよい。
【００４０】
拡散度調整手段３”の拡散領域３ａ”，３ｂ”，３ｃ”は、第１実施形態の拡散度調整手段３の拡散領域３ａ，３ｂ，３ｃにそれぞれ対応するものである。そこで、拡散領域３ａ”の拡散度は比較的大きく、拡散領域３ｃ”の拡散度は比較的小さく、拡散領域３ｂ”の拡散度は中位となっている。さらに、拡散領域３ａ”は、光源１ｒの赤ＬＥＤ（Ｒ）に対向した位置に配置されている。拡散領域３ｂ”は、光源１ｇの緑ＬＥＤ（Ｇ）に対向した位置に配置されている。拡散領域３ｃ”は、光源１ｂの青ＬＥＤ（Ｂ）に対向した位置に配置されている。
【００４１】
これらにより、本実施形態の光源装置１０Ｃによれば、拡散し難い赤ＬＥＤ（Ｒ）の光は拡散度の大きい拡散領域３ａ”で拡散され、拡散し易い青ＬＥＤ（Ｂ）の光は拡散度の小さい拡散領域３ｃ”で拡散され、拡散度合いが中程度の緑ＬＥＤ（Ｇ）の光は拡散度が中程度の拡散領域３ｂ”で拡散される。したがって、本実施形態の光源装置１０Ｃは、第１実施形態の光源装置１０Ａと同様に、有効発光エリア２ａの全体から、色ムラのない、均一な色の白色光を出射することができる。
【００４２】
（拡散度調整手段の構造及び製造方法）
次に、拡散度調整手段３，３’，３”（以下、拡散度調整手段３という）の具体的な構造例及び製造方法例について説明する。拡散度調整手段３は、例えば導光板２における光源側の側面に形成された複数の凹凸形状で構成されているものとする。そして、拡散度調整手段３の拡散領域３ａ，３ｂ，３ｃ，３ａ’，３ｂ’，３ｃ’，３ａ”，３ｂ”，３ｃ”（以下、拡散領域３ｘという）は、前記複数の凹凸形状がその拡散領域の拡散度に対応した密度又は形状となって構成されているものとする。すなわち、拡散領域３ｘの拡散度は、複数の凹凸形状の密度又は凹凸形状自体について調整することで、所望の値に設定されている。
【００４３】
例えば、拡散度を大きくするときは凸凹形状の密度を高くして、拡散度を小さくするときは凸凹形状の密度を低くする。また、凸凹形状を断面三角波形状として、その三角波形状の頂角の角度を調整することで、拡散度を調整してもよい。
【００４４】
上記構成の拡散度調整手段３を製造するには、導光板２を型で製造する場合、その型に予め上記凹凸形状を形成しておき、その凹凸形状を転写する手法を取ることができる。また、凹凸形状は、いわゆる「シボ」でもよく、シボ加工で形成してもよい。そのシボ加工は、上記凹凸形状の形成手法と同様に、金型にシボを形成し、そのシボを転写する手法を取ることができる。ここで、金型にシボを形成するには、ブラスト加工を用いることができる。例えば、導光板形成用の金型に、硬度の硬いホワイトアルミナ（ＷＡ）系の研削材を重力式や加圧式のブラスト機械で吹き付けることにより、凹凸形状（シボ）を形成できる。そして、ＷＡ系研削材の粒度を変えたり、噴出圧力を調整することで、表面粗さの異なる凸凹（シボ）を形成でき、拡散度を調整することができる。
【００４５】
また、拡散度調整手段３は、導光板２における光源側の側面に形成された複数のプリズムで構成されているものとしてもよい。そして、拡散度調整手段３の拡散領域３ｘは、複数のプリズムがその拡散領域３ｘの拡散度に対応した密度又は形状となって構成されているものとする。
【００４６】
また、拡散度調整手段３は、シート部材で構成してもよい。すなわち、シート部材の少なくとも一方面に、複数の凸凹形状又は複数のプリズムを形成する。拡散領域３ｘの拡散度は、シート部材における凸凹形状又はプリズムの配置密度又は形状で調整することができる。このようにすると、既存の導光板に前記シート部材を貼り付けることにより、簡便に、出射光の色分布の均一化を図れる光源装置を構成することができる。拡散度調整手段３をなす上記シート部材は、１枚のシートに、複数の拡散領域ｘが形成されているものでもよく、１枚のシートに、１つの拡散領域ｘが形成されているものでもよい。
【００４７】
（電気光学装置）
図７は、本実施形態の光源装置をバックライトとして用いている電気光学装置の一例を示す断面図である。本電気光学装置は、液晶表示装置１００を構成している。液晶表示装置１００は、液晶装置５０と、図１に示す第１実施形態の光源装置１０Ａとを有して構成されている。図７に示す液晶装置５０及び光源装置１０Ａに、液晶駆動用ＩＣ、支持体などの付帯要素を装着することによって、最終製品としての液晶表示装置１００が構成される。また、液晶表示装置１００の光源装置１０Ａは、第１プリズムシート４、第２プリズムシート５、反射シート６及び拡散シート７を有している。
【００４８】
拡散シート７は、導光板２の上面（液晶パネル側）に配置されている。拡散シート７は導光板２からの出射光を拡散させる板形状のシート部材である。拡散シート７としては、拡散剤を分散させたアクリルシートなどを使用することが可能である。この拡散シート７により、導光板２からの出射光の面輝度をさらに均一化し得るとともに、第１プリズムシート４及び第２プリズムシート５の溝や凹凸形状の映りこみ（輝度ムラ）を防止し得るようになっている。なお、拡散シート７における第１プリズムシート４に覆われていない露出領域は、表示エリア（有効発光エリア）には入らないようになっている。
【００４９】
第１プリズムシート４は、拡散シート７の上面（液晶パネル側）に配置されている。第２プリズムシート５は、第１プリズムシート４の上面（液晶パネル側）に配置されている。第１プリズムシート４及び第２プリズムシート５は、それぞれ、透明なアクリル樹脂などからなる平板状の板材の一面側（図示上面側）がプリズム面とされ、例えば側面三角波状の周期的な凹凸が形成されて構成されている。
【００５０】
図８は、第１プリズムシート４及び第２プリズムシート５の一例を示す斜視図である。図８に示すように、第１プリズムシート４及び第２プリズムシート５のプリズム面２２ａには、対になる斜面部２２Ａ，２２Ｂが交互に周期的に形成されており、これらの斜面部２２Ａ，２２Ｂの成す角度（プリズム頂角α）が、例えば９０度とされている。なお、第１プリズムシート４及び第２プリズムシート５のプリズム頂角αは、９０度に限らず、９０度から１２５度の範囲であってもよい。
【００５１】
そして、第１プリズムシート４の凸部の稜線（峰）の延びる方向と、第２プリズムシート５の凸部の稜線（峰）の延びる方向とが方位角方向で９０度異なるように配置されている。これにより、第１プリズムシート４及び第２プリズムシート５の集光方向が図面の垂直方向（液晶パネル側方向）に合うようになっている。
【００５２】
第１プリズムシート４及び第２プリズムシート５は、下面側すなわち拡散シート７側から光が入射した場合に、そのプリズムシートに斜め方向（概ね法線方向の±２０度の角度範囲より大きい角度範囲）から入射した光については、そのプリズムシートの上面方向へその進行方向を変化させることができ、プリズムシートに垂直（法線方向の±２０度の角度範囲）に入射する光についてはそのプリズムシートを透過しない。本実施形態では、第１プリズムシート４と導光板２との間に拡散シート７を配置しているので、第１プリズムシート４及び第２プリズムシート５に垂直（法線方向の±２０度の角度範囲）に入射する光を低減でき、光伝搬効率を向上させることができる。
【００５３】
なお、第１プリズムシート４及び第２プリズムシート５のプリズム頂角αが９０度より大きい場合には、そのプリズムシートに垂直（法線方向の±２０度の角度範囲）に入射する光については、プリズムシートの上面方向からは大きく外れる場合があるものの、プリズムシートを透過して、液晶パネル側に出射させることができる。
【００５４】
図９は第１プリズムシート４及び第２プリズムシート５の他の例であるプリズムシート４’を示す斜視図である。プリズムシート４’において図８に示す第１プリズムシート４及び第２プリズムシート５と異なる点は、そのプリズム面の形状である。
【００５５】
すなわち、プリズムシート４’のプリズム面５２ａには、四角錐状の凸部５２ｂが配列形成されており、隣接する凸部５２ｂどうしは互いの辺端で接している。このプリズムシート４’におけるプリズム頂角は、凸部５２ｂを構成する斜面部のうち、隣接する斜面部５２Ａと斜面部５２Ｂとが成す角度である。そして、このプリズム頂角はプリズムシート４’において９５°〜１２５°の範囲とされていることが好ましい。このような構成のプリズムシート４’では、凸部５２ｂの底辺５２Ｃ，５２Ｄとそれぞれ平行な方向において集光機能が作用するからである。
【００５６】
なお、本実施形態に係るプリズムシートの構成は、図８又は図９に示すものに限定されず、そのプリズム頂角が例えば９０°〜１２５°の範囲であれば、その形状に制限はない。例えば、図９に示す凸部が配列されたプリズム面を備えたものでは、その凸部の形状を５角錐状やそれ以上の多角錘、あるいは円錐状とすることができる。
【００５７】
図７に示すように、反射シート６は導光板２の底面側（液晶パネル側の反対側）に配置されており、反射シート６の反射面（上面）と導光板２の底面とが面接触している。この反射シート６によれば、導光板２の底面から漏れ出した光を反射して、再び導光板２に入射させることが可能になり、導光板２の上面から出射される光の輝度を増加させることができる。また、光源１Ａと導光板２の端面との隙間において、光源１Ａから反射板６に向かって出射された光Ｌ１を、反射板６は導光板２に入射させることもできる。
【００５８】
さらに、本実施形態の液晶表示装置１００では、光源１から出射された光が拡散シート７を経由することなく第１プリズムシート４又は第２プリズムシート５に入射することを防ぐ構造となっている。
【００５９】
すなわち、拡散シート７の平面形状は、第１プリズムシート４及び第２プリズムシート５の平面形状よりも大きくなっている。そして、拡散シート７の外縁は、第１プリズムシート４及び第２プリズムシート５の外縁よりも外側に張り出している。さらに、拡散シート７は、導光板２の上面の露出部（基板１ａに覆われている部分以外の部分）全体を覆うとともに、光源１Ａの一部上も覆うように配置されている。
【００６０】
このような構成により、光源１Ａから出射された光が直接第１プリズムシート４又は第２プリズムシート５に入射することを防ぐことができる。そして、光源１Ａから出射された光は、拡散領域３ａ，３ｂ，３ｃで拡散され、その後、導光板２及び拡散シート７を経てから第１プリズムシート４又は第２プリズムシート５に入射する。そこで、光源装置１０Ａの出射光全体（バックライト全体）において、均一な色の白色光を出射できるとともに、輝度ムラの発生を回避することもできる。
【００６１】
図７における示す液晶装置５０は、平面視略矩形状で、かつ環状のシール材１２を介して互いにセルギャップをあけて対向するように貼り付けられた一対の平面視矩形状の基板ユニット１３、１４と、これらの間に上記シール材１２とともに囲まれて挟持された液晶層１５と、一方（図７の上側）の基板ユニット１３の上面側に設けられた位相差板１９と偏光板１６と、他方（図７の下側）の基板ユニット１４の下面側に設けられた位相差板２６と偏光板２７を備えた液晶パネル１１とを有して構成されている。
【００６２】
そして、液晶装置５０の液晶パネル１１の下側に、光源装置１０Ａが配置されている。ここで、光源装置１０Ａの第２プリズムシート５の上面と液晶装置５０の液晶パネル１１の下面とが対向するように、液晶装置５０及び光源装置１０Ａが配置されている。そこで光源装置１０Ａは、液晶パネル１１の下側に配置されて、液晶パネル１１の下方側から液晶パネル１１に向けて照明光（バックライト）を出射できるようになっている。
【００６３】
基板ユニット１３、１４のうち、基板ユニット１３は観測者側に向いて設けられる表側（上側）の基板ユニットであり、基板ユニット１４はその反対側、換言すると裏側（下側）に設けられる基板ユニットである。上側の基板ユニット１３は、例えばガラスなどの透明材料からなる光透過性基板１７と、基板１７の表側（図７では上面側、観測者側）に順次設けられた位相差板１９及び偏光板１６と、基板１７の裏側（換言すると液晶層１５側）に順次形成されたカラーフィルタ層２４、オーバーコート層２１と、該オーバーコート層２１において液晶層１５側の面に形成された液晶駆動用のストライプ状の複数の電極２３を具備して構成されている。液晶層１５は、ツイスト角が２４０度〜２５５度のネマチック液晶分子から構成されている。
【００６４】
なお、実際の液晶装置においては、電極２３の液晶層１５側と、下基板側のストライプ状の電極３５の液晶層１５側に、各々配向膜が被覆形成されるが、図７ではこれらの配向膜を省略し説明も略する。また、図７を含む各図に示す断面構造は、図示した場合に各層が見やすいように各層の厚さを実際の装置とは異なる厚さに調節して示してある。
【００６５】
上記上側の基板側の駆動用の各電極２３は、例えばＩＴＯ（Indium Tin Oxide：インジウム錫酸化物）などの透明導電材料から平面視ストライプ状に形成されたもので、液晶パネル１１の表示領域と画素数に合わせて必要本数形成されている。
【００６６】
上記カラーフィルタ層２４は、例えば上側の基板１７の下面（換言すると液晶層１５側の面）に、光遮断用のブラックマスク、カラー表示用のＲＧＢの各パターンを形成することにより構成されている。また、ＲＧＢのパターンを保護する透明な保護平坦化膜としてオーバーコート層２１が被覆されている。上記ブラックマスクは例えばスパッタリング法、真空蒸着法等により厚さ１００〜２００ｎｍ程度のクロム等の金属薄膜をパターニングして形成されている。上記のＲＧＢの各パターンは、赤色パターン（Ｒ）、緑色パターン（Ｇ）、青色パターン（Ｂ）が、所望のパターン形状で配列され、例えば、所定の着色材を含有する感光性樹脂を使用した顔料分散法、各種印刷法、電着法、転写法、染色法等の種々の方法で形成されている。
【００６７】
一方、下側の基板ユニット１４は、ガラスなどの透明材料からなる光透過性基板２８と、基板２８の表面側（図７では上面側、換言すると液晶層１５側）に順次形成された半透過反射層３１、オーバーコート層３３と、該オーバーコート層３３の液晶層１５側の面に形成されたストライプ状の駆動用の複数の電極３５と、基板２８の裏面側（図７では下面側、換言すると液晶層１５側と反対側）に順次形成された位相差板２６と、偏光板２７から構成されている。これらの電極３５においても先の電極２３と同様に液晶パネル１１の表示領域と画素数に合わせて必要本数形成されている。
【００６８】
光源装置１０Ａの光源１Ａから出射された光Ｌａは、拡散領域３ａ，３ｂ，３ｃで拡散された後、導光板２に入射しその導光板２のプリズムで反射され例えば光Ｌｂと光Ｌｄに分散反射される。光Ｌｂ，Ｌｄは導光板２から拡散シート７に入射してさらに拡散された光Ｌｃ，Ｌｅとなって第１プリズムシート４及び第２プリズムシート５に入射する。ここで、光Ｌｃ，Ｌｅは、第１プリズムシート４及び第２プリズムシート５によってそれぞれ法線方向Ｈに向けられる。これらの光Ｌｃ，Ｌｅがバックライトとなって液晶装置５０を照射する。
【００６９】
これらにより、本実施形態の液晶表示装置１００は、光源装置１０Ａから出射される白色光（バックライト）について色均一性が高く、さらに輝度ムラがないので、高品位な画像を表示することができる。
【００７０】
（電子機器）
次に上記実施形態の電気光学装置（液晶表示装置１００）を構成要素とする電子機器について説明する。
図１０（ａ）は、携帯電話の一例を示した斜視図である。図１０（ａ）において、符号５００は携帯電話本体を示し、符号５０１は上記実施形態の液晶表示装置１００を有してなる表示部を示している。図１０（ｂ）は、腕時計型電子機器の一例を示した斜視図である。図１０（ｂ）において、符号６００は時計本体を示し、符号６０１は上記実施形態の液晶表示装置１００を有してなる表示部を示している。図１０（ｃ）は、ワープロ、パソコンなどの携帯型情報処理装置の一例を示した斜視図である。図１０（ｃ）において、符号７００は情報処理装置、符号７０１はキーボードなどの入力部、符号７０２は上記実施形態の液晶表示装置１００を有してなる表示部、符号７０３は情報処理装置本体を示している。
【００７１】
図１０に示す電子機器は、上記実施形態の液晶表示装置１００有しているので、色ムラ及び輝度ムラがなく、色再現性の高い高品位なカラー画像を表示することができる。
【００７２】
なお、本発明の技術範囲は上記実施形態に限定されるものではなく、本発明の趣旨を逸脱しない範囲において種々の変更を加えることが可能であり、実施形態で挙げた具体的な材料や層構成などはほんの一例に過ぎず、適宜変更が可能である。
【００７３】
例えば、上記実施形態では、光源１Ａなどとして、ＲＧＢの３原色の光源を用いているが、本発明はこれに限定されるものではなく、４原色又は５原色以上の光源を用いることもできる。また、発光色の異なる２つの光源で、光源１Ａなどを構成してもよい。例えば４原色で光源１Ａなどを構成する場合は、ＲＧＢの光源に、シアン、マゼンダ、イエローのいずれか１つの光源を加えることとする。
【００７４】
また、上記実施形態では、本発明に係る光源装置を液晶表示装置の構成要素とした例を挙げているが、本発明はこれに限定されるものではなく、本発明に係る光源装置は液晶表示装置以外の各種電気光学装置及び表示装置に適用することができる。また、本発明に係る光源装置は、電気光学装置などの表示装置以外の照明装置に適用することができる。ここで、照明装置とは、画像又は情報などを表示する表示装置ではなく、所定の光を被照射体に出射するものである。
【００７５】
また、上記実施形態の液晶表示装置においては、単純マトリックス型の半透過反射型液晶表示装置に本発明の光源装置を備えた場合について説明したが、本発明の光源装置を、２端子型スイッチング素子あるいは３端子型スイッチング素子を備えたアクティブマトリクス型の半透過反射型液晶表示装置に備えるようにしてもよい。
【図面の簡単な説明】
【００７６】
【図１】本発明の第１実施形態に係る光源装置の一例を示す斜視図である。
【図２】同上の光源装置の平面図である。
【図３】同上の光源装置の部分拡大断面図である。
【図４】拡散度の定義を説明するための図である。
【図５】本発明の第２実施形態に係る光源装置の一例を示す斜視図である。
【図６】本発明の第３実施形態に係る光源装置の一例を示す斜視図である。
【図７】本発明の実施形態に係る電気光学装置の一例を示す断面図である。
【図８】同上の電気光学装置の第１・第２プリズムシートの一例を示す斜視図である。
【図９】第１・第２プリズムシートの他の例を示す斜視図である。
【図１０】本発明の実施形態に係る電子機器を示す斜視図である。
【符号の説明】
【００７７】
１Ａ，１Ｂ，１ｒ，１ｇ，１ｂ…光源、２…導光板、２ａ…有効発光エリア、３，３’，３”…拡散度調整手段、３ａ，３ｂ，３ｃ，３ａ’，３ｂ’，３ｃ’，３ａ”，３ｂ”，３ｃ”…拡散領域、１０Ａ，１０Ｂ，１０Ｃ…光源装置、５０…液晶装置、１００…液晶表示装置
【図１】
2006066121.tif 000003
【図２】
2006066121.tif 000004
【図３】
2006066121.tif 000005
【図４】
2006066121.tif 000006
【図５】
2006066121.tif 000007
【図６】
2006066121.tif 000008
【図７】
2006066121.tif 000009
【図８】
2006066121.tif 000010
【図９】
2006066121.tif 000011
【図１０】
2006066121.tif 000012